(57)【要約】【課題】簡単な構成で感光体ドラムを効率良く冷却できるようにすること。【解決手段】表面に感光体層（２）が形成された円筒状のスリーブ（１）とその両端に装着された第１フランジ（３）および第２フランジ（４）とを有する回転可能な感光体ドラム（ＰＲ）と、前記第１フランジ（３）の端壁部（３ａ）に形成され且つ前記端壁部（３ａ）外側面に送風されたエアを旋回流として前記感光体ドラム（ＰＲ）内側に流入させる旋回流形成用流入孔（３ａ1，３ａ2）と、第２フランジ（４）の端壁部（４ａ）に形成され且つ感光体ドラム（ＰＲ）内側のエアの旋回流を外側に流出させる旋回流流出孔（４ａ1，４ａ2）とを備えた感光体ドラムおよび前記感光体ドラム）ＰＲを備えた画像形成装置。【選択図】図１
2005062391.tif 000002
【特許請求の範囲】
【請求項１】
次の構成要件（Ａ01）〜（Ａ03）を備えたことを特徴とする画像形成装置用の感光体ドラム、
（Ａ01）表面に感光体層が形成された円筒状のスリーブと、前記円筒状のスリーブの軸方向一端部に装着され且つ端壁部を有する第１フランジと、前記軸方向他端部に装着され且つ端壁部を有する第２フランジとにより構成され、回転可能に支持される感光体ドラム、
（Ａ02）前記第１フランジの端壁部を貫通して形成され、前記感光体ドラムの回転時に前記端壁部外側面に送風されたエアを旋回流として前記感光体ドラム内側に流入させる旋回流形成用流入孔、
（Ａ03）前記第２フランジの端壁部に形成された旋回流流出孔であって、前記感光体ドラム内側のエアの旋回流を外側に流出させる前記旋回流流出孔。
【請求項２】
次の構成要件（Ａ04）を備えたことを特徴とする画像形成装置用の感光体ドラム、
（Ａ04）前記第１フランジの端壁部の外側面の開口と内側面の開口とが前記感光体ドラムの軸方向から見て、円周方向に位置ずれして形成され且つ前記端壁部の外側面の開口と内側面の開口とを接続する前記旋回流形成用流入孔。
【請求項３】
次の構成要件（Ａ05）を備えたことを特徴とする請求項２記載の画像形成装置用の感光体ドラム、
（Ａ05）前記第２フランジの端壁部の外側面の開口と内側面の開口とが前記感光体ドラムの軸方向から見て、円周方向に位置ずれして形成された前記旋回流流出孔であって、感光体ドラムの内側から外側に流出するエアを前記第１フランジの旋回流形成用流入孔と同じ方向の旋回流にするように形成された前記旋回流流出孔。
【請求項４】
次の構成要件（Ａ06）を備えたことを特徴とする画像形成装置用の感光体ドラム、
（Ａ06）エアの流入側の開口と流出側の開口とが、感光体ドラムの軸方向の一端側から見て円周方向の同一方向にずれて配置された前記旋回流形成用流入孔および前記旋回流流出孔。
【請求項５】
次の構成要件（Ａ07）を備えたことを特徴とする画像形成装置用の感光体ドラム、
（Ａ07）旋回流の旋回方向が互いに逆方向である第１旋回流形成用流入孔および第２旋回流形成用流入孔が形成された前記端壁部を有する前記第１フランジ。
【請求項６】
次の構成要件（Ａ08）を備えたことを特徴とする画像形成装置用の感光体ドラム、
（Ａ08）旋回流の旋回方向が互いに逆方向である第１旋回流流出孔および第２旋回流流出孔が形成された前記端壁部を有する前記第２フランジ。
【請求項７】
次の構成要件（Ａ09），（Ａ010）を備えたことを特徴とする画像形成装置、
（Ａ09）請求項１〜６のいずれかに記載された感光体ドラム、
（Ａ010）前記感光体ドラムの一方のフランジの端壁にエアを送風する送風装置。
【請求項８】
次の構成要件（Ａ01），（Ａ011）〜（Ａ013）を備えたことを特徴とする画像形成装置用の感光体ドラム、
（Ａ01）表面に感光体層が形成された円筒状のスリーブと、前記円筒状のスリーブの軸方向一端部に装着され且つ端壁部を有する第１フランジと、前記軸方向他端部に装着され且つ端壁部を有する第２フランジとにより構成され、回転可能に支持される感光体ドラム、
（Ａ011）前記第１フランジおよび第２フランジの中の一方のフランジの端壁部を貫通して形成され且つ前記感光体ドラムの回転時に前記一方の端壁部の外側のエアを前記感光体ドラム内側に流入させる流入孔であって、前記端壁部外側面に形成されたエア流入側の開口と前記端壁部内側面に形成されたエア流出側の開口とを有する前記流入孔、
（Ａ012）前記第１フランジおよび第２フランジの中の他方のフランジの端壁部を貫通して形成され且つ前記感光体ドラムの回転時に前記他方の端壁部の内側のエアを前記感光体ドラム外側に流出させる流出孔であって、前記端壁部内側面に形成されたエア流入側の開口と前記端壁部外側面に形成されたエア流出側の開口とを有する前記流出孔、
（Ａ013）エアの流入側の開口と流出側の開口とが、感光体ドラムの軸方向の一端側から見て円周方向にずれて配置された旋回流形成用貫通孔により形成された前記流入孔または流出孔。
【発明の詳細な説明】
【技術分野】
【０００１】
本発明は、電子写真方式の画像形成装置で使用される感光体ドラムおよび画像形成装置に関し、特に、感光体ドラムの回転時に冷却用エアを感光体ドラムの内部に流通させるように構成された感光体ドラムおよび画像形成装置に関する。
【背景技術】
【０００２】
従来、前記電子写真方式の画像形成装置では、回転する円筒状の感光体ドラムの表面を帯電部材により一様に帯電させ、前記帯電した感光体ドラム表面に潜像形成装置により静電潜像を形成し、前記静電潜像を現像装置によりトナー像に現像している。前記感光体ドラム表面に形成されたトナー像はシート表面または裏面に転写され、シート表面に転写されたトナー像は定着装置より定着される。なお、前記感光体ドラム表面は、その表面のトナー像がシートに転写された後にクリーナにより転写残トナーがクリーニングされる。
前記画像形成装置において、感光体ドラムが画像形成装置内部の温度上昇や、シート両面に画像を形成するために一度定着装置を通ったシートが再度感光体に接触すること等により温度が上昇することがある。その場合、感光体ドラムの膨張による画像の歪み、画像欠陥等が発生する。また、温度上昇した感光体ドラムによって、現像装置やクリーナの温度が上昇することがある。その場合、現像装置やクリーナのトナー収容容器内部に収容されたトナーが溶融し、冷え、固まると、トナーの搬送不良が発生することがある。その場合、現像装置やクリーナの故障の原因となる。
【０００３】
前述の事情に鑑み、従来次の技術（Ｊ01）が提案されている。
（Ｊ01）特開２００２−２７８３６３号公報記載の技術
この公報記載の技術では、円筒状の感光体ドラムの内部に、感光体ドラム内壁面との間に通気経路を形成する小径円筒状の回転体を配置し、感光体ドラムの軸方向の端部から前記通気経路に外気を送風するダクトを設けている。
【０００４】
【特許文献１】特開２０００−１５８９２号公報
【発明の開示】
【発明が解決しようとする課題】
【０００５】
（前記（Ｊ01）の問題点）
前記従来技術（Ｊ01）では、感光体ドラム内部に冷却用のための小径円筒状の回転部材を設けるので、コスト高になる。また、送風したエア流に対する抵抗が大きく、感光体ドラムを効率良く冷却することが困難である。
【０００６】
本発明は、前述の事情に鑑み、次の記載内容（Ｏ01）を課題とする。
（Ｏ01）簡単な構成で感光体ドラムを効率良く冷却できるようにすること。
【課題を解決するための手段】
【０００７】
次に、前記課題を解決した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００８】
（第１発明）
前記課題を解決するために、第１発明の感光体ドラムは、次の構成要件（Ａ01）〜（Ａ03）を備えたことを特徴とする。
（Ａ01）表面に感光体層（２）が形成された円筒状のスリーブ（１）と、前記円筒状のスリーブ（１）の軸方向一端部に装着され且つ端壁部（３ａ）を有する第１フランジ（３）と、前記軸方向他端部に装着され且つ端壁部（４ａ）を有する第２フランジ（４）とにより構成され、回転可能に支持される感光体ドラム（ＰＲ）、
（Ａ02）前記第１フランジ（３）の端壁部（３ａ）を貫通して形成され、感光体ドラム（ＰＲ）の回転時に前記端壁部（３ａ）外側面に送風されたエアを旋回流として前記感光体ドラム（ＰＲ）内側に流入させる前記旋回流形成用流入孔（３ａ1，３ａ2）、
（Ａ03）前記第２フランジ（４）の端壁部（４ａ）に形成された旋回流流出孔（４ａ1，４ａ2）であって、前記感光体ドラム（ＰＲ）内側のエアの旋回流を外側に流出させる前記旋回流流出孔（４ａ1，４ａ2）。
【０００９】
（第１発明の作用）
前記構成要件（Ａ01）〜（Ａ03）を備えた本発明の感光体ドラム（ＰＲ）では、表面に感光体層（２）が形成された円筒状のスリーブ（１）と、前記円筒状のスリーブ（１）の軸方向一端部に装着され且つ端壁部（３ａ）を有する第１フランジ（３）と、前記軸方向他端部に装着され且つ端壁部（４ａ）を有する第２フランジ（４）とを有する感光体ドラム（ＰＲ）は、回転可能に支持される。
前記第１フランジ（３）の端壁部（３ａ）に形成された旋回流形成用流入孔（３ａ1，３ａ2）は、感光体ドラム（ＰＲ）の回転時に前記端壁部（３ａ）外側面に送風されたエアを旋回流として前記感光体ドラム（ＰＲ）内側に流入させる。
前記第２フランジ（４）の端壁部（４ａ）に形成された旋回流流出孔（４ａ1，４ａ2）は、感光体ドラム（ＰＲ）の回転時に前記感光体ドラム（ＰＲ）内側のエアの旋回流を外側に流出させる。
したがって、感光体ドラム（ＰＲ）の内面に接触するエアが螺旋状に流れるので、感光体ドラム（ＰＲ）はその内面から均一に冷却される。
【００１０】
なお、前記感光体ドラム（ＰＲ）の回転時に前記感光体ドラム（ＰＲ）内側のエアの旋回流を外側に流出させる旋回流流出孔（４ａ1，４ａ2）は、旋回流流出孔（４ａ1，４ａ2）の外側面の開口（流入側の開口）（３ａ1a，３ａ2a）と内側面の開口（流出側の開口）（３ａ1b，３ａ2b）とを、前記感光体ドラム（ＰＲ）の軸方向から見て、円周方向に位置ずれした位置に形成することにより、旋回流流出孔（４ａ1，４ａ2）を通過するエアを旋回流とするように構成することが可能である。また、前記旋回流流出孔（４ａ1，４ａ2）は、旋回流流出孔（４ａ1，４ａ2）の外側面の開口（流入側の開口）（３ａ1a，３ａ2a）と内側面の開口（流出側の開口）（３ａ1b，３ａ2b）とを、前記感光体ドラム（ＰＲ）の軸方向から見て同一位置に形成することが可能である。
【００１１】
（第１発明の形態１）
前記第１発明の感光体ドラム（ＰＲ）は次の構成要件（Ａ04）を備えることが可能である。
（Ａ04）前記第１フランジ（３）の端壁部（３ａ）の外側面の開口（３ａ1a，３ａ2a）と内側面の開口（３ａ1b，３ａ2b）とが前記感光体ドラム（ＰＲ）の軸方向から見て、円周方向に位置ずれして形成され且つ前記端壁部（３ａ）の外側面の開口（３ａ1a，３ａ2ａ）と内側面の開口（３ａ1b，３ａ2b）とを接続する前記旋回流形成用流入孔（３ａ1，３ａ2）。
前記構成要件（Ａ04）を備えた本発明の感光体ドラム（ＰＲ）では、前記旋回流形成用流入孔（３ａ1，３ａ2）は、前記第１フランジ（３）の端壁部（３ａ）の外側面の開口（３ａ1a，３ａ2ａ）と内側面の開口（３ａ1b，３ａ2b）とが前記感光体ドラム（ＰＲ）の軸方向から見て、円周方向に位置ずれして形成され且つ前記端壁部（３ａ）の外側面の開口（３ａ1a，３ａ2ａ）と内側面の開口（３ａ1b，３ａ2b）とを接続する。このため、前記端壁部（３ａ）の外側面の開口（３ａ1a，３ａ2ａ）から流入したエアを、前記感光体ドラム（ＰＲ）内部に前記外側面の開口（３ａ1a，３ａ2ａ）から旋回流として流入させることができる。
【００１２】
（第１発明の形態２）
前記第１発明の感光体ドラム（ＰＲ）は次の構成要件（Ａ05）を備えることが可能である。
（Ａ05）前記第２フランジ（４）の端壁部（４ａ）の外側面の開口（４ａ1a，４ａ2a）と内側面の開口（４ａ1b，４ａ2b）とが前記感光体ドラム（ＰＲ）の軸方向から見て、円周方向に位置ずれして形成された前記旋回流流出孔（４ａ1，４ａ2）であって、感光体ドラム（ＰＲ）の内側から外側に流出するエアを前記第１フランジ（３）の旋回流形成用流入孔（３ａ1，３ａ2）と同じ方向の旋回流にするように形成された前記旋回流流出孔（４ａ1，４ａ2）。
前記構成要件（Ａ05）を備えた本発明の感光体ドラム（ＰＲ）では、前記（第２フランジ（４）の端壁部（４ａ）の外側面の開口（４ａ1a，４ａ2a）と内側面の開口（４ａ1b，４ａ2b）とが前記感光体ドラム（ＰＲ）の軸方向から見て、円周方向に位置ずれして形成された前記旋回流流出孔（４ａ1，４ａ2）は、感光体ドラム（ＰＲ）の内側から外側に流出するエアを前記旋回流形成用流入孔（３ａ1，３ａ2）と同じ方向の旋回流にする。
したがって、感光体ドラム（ＰＲ）内部に旋回流となって流入したエアは、前記旋回流流出孔（４ａ1，４ａ2）を通過する際の空気抵抗が小さいので、多くのエアが感光体ドラム（ＰＲ）内部を通過する。このため、感光体ドラム（ＰＲ）を効率良く冷却することができる。
【００１３】
（第１発明の形態３）
前記第１発明の感光体ドラム（ＰＲ）は次の構成要件（Ａ06）を備えることが可能である。
（Ａ06）エアの流入側の開口と流出側の開口とが、感光体ドラム（ＰＲ）の軸方向の一端側から見て円周方向の同一方向にずれて配置された前記旋回流形成用流入孔（３ａ1，３ａ2）および前記旋回流流出孔（４ａ1，４ａ2）。
前記構成要件（Ａ06）を備えた本発明の感光体ドラム（ＰＲ）では、前記旋回流形成用流入孔（３ａ1，３ａ2）および前記旋回流流出孔（４ａ1，４ａ2）は、エアの流入側の開口（３ａ1a，３ａ2a；４ａ1a，４ａ2a）と流出側の開口（３ａ1b，３ａ2b；４ａ1b，４ａ2b）とが、感光体ドラム（ＰＲ）の軸方向の一端側から見て円周方向の同一方向にずれて配置されているので、感光体ドラム（ＰＲ）内部に旋回流となって流入したエアは、前記旋回流流出孔（４ａ1，４ａ2）を通過する際の空気抵抗が小さくなる。したがって、多くのエアが感光体ドラム（ＰＲ）内部を通過するので、感光体ドラム（ＰＲ）を効率良く冷却することができる。
【００１４】
（第１発明の形態４）
前記第１発明の感光体ドラム（ＰＲ）は、次の構成要件（Ａ07）を備えることが可能である。
（Ａ07）旋回流の旋回方向が互いに逆方向である第１旋回流形成用流入孔（３ａ1）および第２旋回流形成用流入孔（３ａ2）が形成された前記端壁部（３ａ）を有する前記第１フランジ（３）。
前記構成要件（Ａ07）を備えた本発明の感光体ドラム（ＰＲ）では、前記第１フランジ（３）は、旋回流の旋回方向が互いに逆方向である第１旋回流形成用流入孔（３ａ1）および第２旋回流形成用流入孔（３ａ2）が形成された前記端壁部（３ａ）を有するので、感光体ドラム（ＰＲ）の回転方向が逆の場合でも効率よく旋回流を感光体ドラム（ＰＲ）内部に流入させることが可能である。
【００１５】
（第１発明の形態５）
前記第１発明の感光体ドラム（ＰＲ）は、次の構成要件（Ａ08）を備えることが可能である。
（Ａ08）旋回流の旋回方向が互いに逆方向である第１旋回流流出孔（４ａ1）および第２旋回流流出孔（４ａ2）が形成された前記端壁部（４ａ）を有する前記第２フランジ（４）。
前記構成要件（Ａ08）を備えた本発明の感光体ドラム（ＰＲ）では、前記第２フランジ（４）は旋回流の旋回方向が互いに逆方向である第１旋回流流出孔（４ａ1）および第２旋回流流出孔（４ａ2）が形成されているので、感光体ドラム（ＰＲ）の回転方向が逆の場合でも効率よく旋回流を感光体ドラム（ＰＲ）の外部に流出させることが可能である。
【００１６】
（第２発明）
第２発明の画像形成装置は、次の構成要件（Ａ09），（Ａ010）を備えたことを特徴とする。
（Ａ09）前記第１発明、または前記第１発明の形態１〜５のいずれかを備えた感光体ドラム（ＰＲ）、
（Ａ010）前記感光体ドラム（ＰＲ）の一方のフランジの端壁にエアを送風する送風装置。
前記構成要件（Ａ09），（Ａ010）を備えた第２発明の画像形成装置では、送風装置が、前記第１発明、または前記第１発明の形態１〜５のいずれかを備えた感光体ドラム（ＰＲ）の一方フランジの端壁にエアを送風するので、感光体ドラム（ＰＲ）を効率良く冷却することができる。
【００１７】
（第３発明）
前記課題を解決するために、第３発明の画像形成装置用の感光体ドラムは、次の構成要件（Ａ01），（Ａ011）〜（Ａ013）を備えたことを特徴とする。
（Ａ01）表面に感光体層（２）が形成された円筒状のスリーブ（１）と、前記円筒状のスリーブ（１）の軸方向一端部に装着され且つ端壁部（３ａ）を有する第１フランジ（３）と、前記軸方向他端部に装着され且つ端壁部（４ａ）を有する第２フランジ（４）とにより構成され、回転可能に支持される感光体ドラム（ＰＲ）、
（Ａ011）前記第１フランジ（３）および第２フランジ（４）の中の一方のフランジ（３）の端壁部（３ａ）を貫通して形成され且つ前記感光体ドラム（ＰＲ）の回転時に前記一方の端壁部（３ａ）の外側のエアを前記感光体ドラム（ＰＲ）内側に流入させる流入孔（３ａ1，３ａ2）であって、前記端壁部（３ａ）外側面に形成されたエア流入側の開口（３ａ1a，３ａ2a）と前記端壁部内側面に形成されたエア流出側の開口（３ａ1b，３ａ2b）とを有する前記流入孔（３ａ1，３ａ2）、
（Ａ012）前記第１フランジ（３）および第２フランジ（４）の中の他方のフランジ（４）の端壁部（４ａ）を貫通して形成され且つ前記感光体ドラム（ＰＲ）の回転時に前記他方の端壁部（４ａ）の内側のエアを前記感光体ドラム（ＰＲ）外側に流出させる流出孔（４ａ1，４ａ2）であって、前記端壁部（４ａ）内側面に形成されたエア流入側の開口（４ａ1a，４ａ2a）と前記端壁部外側面に形成されたエア流出側の開口（４ａ2a，４ａ2b）とを有する前記流出孔（４ａ1，４ａ2）、
（Ａ013）エアの流入側の開口（３ａ1a，３ａ2a；４ａ1a，４ａ2a）と流出側の開口（３ａ1b，３ａ2b；４ａ1b，４ａ2b）とが、感光体ドラム（ＰＲ）の軸方向の一端側から見て円周方向にずれて配置された旋回流形成用貫通孔（３ａ1，３ａ2，４ａ1，４ａ2）により形成された前記流入孔（３ａ1，３ａ2）または流出孔（４ａ1，４ａ2）。
【００１８】
（第３発明の作用）
前記構成要件（Ａ01），（Ａ011）〜（Ａ013）を備えた第３発明の画像形成装置用の感光体ドラムでは、表面に感光体層（２）が形成された円筒状のスリーブ（１）と、前記円筒状のスリーブ（１）の軸方向一端部に装着され且つ端壁部（３ａ）を有する第１フランジ（３）と、前記軸方向他端部に装着され且つ端壁部（４ａ）を有する第２フランジ（４）とを有する感光体ドラム（ＰＲ）は、回転可能に支持される。
前記第１フランジ（３）および第２フランジ（４）中の一方のフランジ（３）の端壁部（３ａ）を貫通して形成され且つ前記端壁部（３ａ）外側面に形成されたエア流入側の開口（３ａ1a，３ａ2a）および前記端壁部内側面に形成されたエア流出側の開口（３ａ1b，３ａ2b）を有する流入孔（３ａ1，３ａ2）は、前記感光体ドラム（ＰＲ）の回転時に前記端壁部（３ａ）外側のエアを、前記感光体ドラム（ＰＲ）内側に流入させる。
第１フランジ（３）および第２フランジ（４）の中の他方のフランジ（４）の端壁部（４ａ）を貫通して形成され且つ端壁部（４ａ）の内側面に形成されたエア流入側の開口（４ａ1a，４ａ2a）と前記端壁部（４a）外側面に形成されたエア流出側の開口（４ａ2a，４ａ2b）とを有す流出孔（４ａ1，４ａ2）は、前記感光体ドラム（ＰＲ）の回転時に前記端壁部（４ａ）の内側のエアを前記感光体ドラム（ＰＲ）外側に流出させる。
前記流入孔（３ａ1，３ａ2）または流出孔（４ａ1，４ａ2）のエア流入側の開口（３ａ1a，３ａ2a；４ａ1a，４ａ2a）と流出側の開口（３ａ1b，３ａ2b；４ａ1b，４ａ2b）とが、感光体ドラム（ＰＲ）の軸方向の一端側から見て円周方向にずれて配置された旋回流形成用貫通孔（３ａ1，３ａ2，４ａ1，４ａ2）により形成されているので、感光体ドラム（ＰＲ）の内部にはエアが螺旋状に流れる。このため、感光体ドラム（ＰＲ）はその内面から均一に冷却される。
【発明の効果】
【００１９】
前述の本発明の感光体ドラムまたは画像形成装置は、下記の効果（Ｅ01）〜（Ｅ03）を奏する。
（Ｅ01）感光体ドラムのフランジ形状を変えるだけの簡単な構成で感光体ドラムを効率良く冷却することができる。
（Ｅ02）部品数が増加しないので、コスト高にならず、部品の信頼性も低下しない。
（Ｅ03）第１フランジの端壁部に、旋回流の旋回方向が互いに逆方向である第１旋回流形成用流入孔および第２旋回流形成用流入孔を形成することにより、感光体の回転方向に影響されることなく、感光体ドラムを冷却することができる。
【発明を実施するための最良の形態】
【００２０】
次に図面を参照しながら、本発明の実施の形態の画像形成装置を説明するが、本発明は以下の実施の形態に限定されるものではない。
（実施の形態１）
図１は本発明の実施の形態１の感光体ドラムの縦断面図である。
図１において、感光体ドラムＰＲは、円筒状のスリーブ１とその外周面に形成した感光体層２とを有している。前記スリーブ１の軸方向の一端部には第１フランジ３が装着されており、他端部には第２フランジ４が装着されている。
【００２１】
図１、図２（後述）において、第１フランジ３は端壁部３ａと内側円筒部３ｂおよび外側円筒部３ｃを有している。図１、図４（後述）において、第２フランジ４は端壁部４ａと内側円筒部４ｂおよび外側円筒部４ｃを有している。
第１フランジ３の外側円筒部３ｃにはベアリング５が装着されており、第２フランジ４の外側円筒部４ｃにはギヤ６およびベアリング７が装着されている。前記ベアリング５，７は図示しない画像形成装置のフレームにより支持されており、感光体ドラムＰＲは前記ベアリング５，７により回転可能に支持される。前記ギヤ６には図示しないギヤから回転力が伝達される。
前記第１フランジ３の端壁部３ａの外側面には、画像形成装置（図示せず）の送風装置から冷却用のエアが吹き付けられる。
【００２２】
図２は実施の形態１の感光体ドラムの軸方向の一方の端部に設けた第１フランジの説明図であり、図２Ａは前記第１フランジの外側面の説明図で前記第１フランジを前記図１のIIＡ−IIＡ線から見た図、図２Ｂは前記第１フランジの内側面を示す図で前記第１フランジを図１のIIＢ−IIＢ線から見た図である。
図３は前記第１フランジに形成した旋回流形成用流入孔の説明図であり、図３Ａは第１フランジが矢印Ａ方向に回転するときの前記図２ＡのIIIＡ−IIIＡ線断面を示す図、図３Ｂは第１フランジが矢印−Ａ方向に回転するときの前記図２ＡのIIIＢ−IIIＢ線断面を示す図である。
【００２３】
図２において、前記端壁部３ａには４個の第１旋回流形成用流入孔（第１流入孔）３ａ1と４個の第２旋回流形成用流入孔（第２流入孔）３ａ2とが形成されている。
図２Ａ、図３において、第１旋回流形成用流入孔３ａ1は外側面（図２Ａで手前側の面）の開口（流入側の開口）３ａ1aと内側面（図２Ａで背面）の開口（流出側の開口）３ａ1bとを有している。図２Ａでは前記外側面の開口３ａ1aに対して内側面の開口３ａ1bは、第１フランジ３の中心軸回りに時計方向に回転した位置に配置されている。前記開口３ａ1aおよび開口３ａ1bは一部が重なって見えており、各開口３ａ1aおよび３ａ1bの重なり部分が３ａ1cで示されている。
図２Ａ、図３Ａにおいて、第１フランジ３が前記矢印Ａ方向（反時計方向）に回転した時には、第１フランジ３の外側面（図２Ａの手前側）の開口３ａ1aから第１旋回流形成用流入孔３ａ1内に流入したエアは、第１旋回流形成用流入孔３ａ1の内壁面３ａ1d（図３Ａ参照）により端壁部３ａの内側面（感光体ドラムＰＲ内部側）の開口３ａ1bに向けて矢印Ｂ方向（図３Ａ参照）に移送される。
【００２４】
図２Ａ、図３において、第２旋回流形成用流入孔３ａ2は外側面（図２Ａで手前側の面）の開口（流入側の開口）３ａ2aと内側面（図２Ａで背面）の開口（流出側の開口）３ａ2bとを有している。図２Ａでは前記外側面の開口３ａ2aに対して内側面の開口３ａ2bは、第１フランジ３の中心軸回りに反時計方向に回転した位置に配置されている。前記開口３ａ2aおよび開口３ａ2bは一部が重なって見えており、各開口３ａ2aおよび３ａ2bの重なり部分が３ａ2cで示されている。
図２Ａ、図３Ｂにおいて、第１フランジ３が前記矢印−Ａ方向（反時計方向）に回転した時には、第１フランジ３の外側面（図２Ａの手前側）の開口３ａ2aから第２旋回流形成用流入孔３ａ2内に流入したエアは、第２旋回流形成用流入孔３ａ2の内壁面３ａ2d（図３Ｂ参照）により、端壁部３ａの内側面（感光体ドラムＰＲ内部側）の開口３ａ2bに向けて矢印−Ｂ方向（図３Ｂ参照）に移送される。
【００２５】
前記図２Ａ、図３Ａにおいて、第１フランジ３が前記矢印Ａ方向（反時計方向）に回転した時には、第１フランジ３の外側面（図２Ａの手前側）の開口３ａ1aから第１旋回流形成用流入孔３ａ1内に流入したエアは、内側面（感光体ドラムＰＲ内部側）の開口３ａ1b側（図３Ａの矢印Ｂ側）に移送されるが、第２旋回流形成用流入孔３ａ2内に流入したエアは、内側面（感光体ドラムＰＲ内部側）の開口３ａ2b側に移送されない。
したがって、図２Ａ、図３Ａにおいて、第１フランジ３が前記矢印Ａ方向（反時計方向）に回転した時には、第１フランジ３の外面側（図２Ａの手前側）から内面側（感光体ドラムＰＲ内部側）に流入するエアの大部分は、第１旋回流形成用流入孔３ａ1を矢印Ｂ方向（図３Ａ参照）に通過して、感光体ドラムＰＲ内部で図２Ａにおいて時計方向の旋回流となる。
【００２６】
逆に、図２Ａ、図３Ｂにおいて、第１フランジ３が前記矢印−Ａ方向（時計方向）に回転した時には、第１フランジ３の外側面（図２Ａの手前側）の開口３ａ2aから第２旋回流形成用流入孔３ａ2内に流入したエアは、内側面（感光体ドラムＰＲ内部側）の開口３ａ2b側（図３Ｂの矢印−Ｂ側）に移送されるが、第１旋回流形成用流入孔３ａ1内に流入したエアは、内側面（感光体ドラムＰＲ内部側）の開口３ａ1b側に移送されない。
したがって、図２Ａ、図３Ｂにおいて、第１フランジ３が前記矢印−Ａ方向（時計方向）に回転した時には、第１フランジ３の外面側（図２Ａの手前側）から内面側（感光体ドラムＰＲ内部側）に流入するエアの大部分は、第２旋回流形成用流入孔３ａ2を矢印−Ｂ方向（図３Ｂ参照）に通過して、感光体ドラムＰＲ内部で図２Ａにおいて反時計方向の旋回流となる。
【００２７】
図４は実施の形態１の感光体ドラムの軸方向の端部に設けた第２フランジの説明図であり、図４Ａは前記第２フランジの内側面の説明図で前記第２フランジを前記図１の矢印IＶＡから見た図、図４Ｂは前記第２フランジの外側面を示す図で前記第２フランジを図１の矢印IＶＢから見た図である。
図５は前記第２フランジに形成した旋回流流出孔の説明図であり、図５Ａは第２フランジが矢印Ａ方向に回転するときの前記図４ＡのＶＡ−ＶＡ線断面を示す図、図５Ｂは第２フランジが矢印−Ａ方向に回転するときの前記図４ＡのＶＢ−ＶＢ線断面を示す図である。
図４において、前記端壁部４ａには４個の第１旋回流流出孔４ａ1と４個の第２旋回流流出孔４ａ2とが形成されている。
図４Ａ、図５において、第１旋回流流出孔４ａ1は内側面（図４Ａで手前側の面）の開口（流入側の開口）４ａ1aと外側面（図４Ａで背面）の開口（流出側の開口）４ａ1bとを有している。図４Ａでは前記内側面の開口４ａ1aに対して外側面の開口４ａ1bは、第２フランジ４の中心軸回りに時計方向に回転した位置に配置されている。前記開口４ａ1aおよび開口４ａ1bは一部が重なって見えており、各開口４ａ1aおよび４ａ1bの重なり部分が４ａ1cで示されている。
図４Ａ、図５Ａにおいて、第２フランジ４が前記矢印Ａ方向（反時計方向）に回転した時には、第２フランジ４の内側面（図４Ａの手前側）の開口４ａ1aから第１旋回流流出孔４ａ1内に流入したエアは、第１旋回流流出孔４ａの内壁面４ａ1d（図５Ａ参照）により、端壁部４ａの外面側（図４Ａの背面側）の開口４ａ1bに向けて矢印Ｂ方向（図５Ａ参照）に移送される。
【００２８】
図４Ａ、図５において、第２旋回流流出孔４ａ2は内側面（図４Ａで手前側の面）の開口（流入側の開口）４ａ2aと外側面（図４Ａで背面）の開口（流出側の開口）４ａ2bとを有している。図４Ａでは前記内側面の開口４ａ2aに対して外側面（図４Ａで背面）の開口４ａ2bは、第２フランジ４の中心軸回りに反時計方向に回転した位置に配置されている。前記開口４ａ2aおよび開口４ａ2bは一部が重なって見えており、各開口４ａ2aおよび４ａ2bの重なり部分が４ａ2cで示されている。
図４Ａ、図５Ｂにおいて、第２フランジ４が前記矢印−Ａ方向（反時計方向）に回転した時には、第２フランジ４の内側面（図４Ａの手前側）の開口４ａ2aから第２旋回流流出孔４ａ2内に流入したエアは、第２旋回流流出孔４ａ2d（図５Ｂ参照）により端壁部４ａの外側面（図４Ａの背面側）の開口４ａ2bに向けて矢印−Ｂ方向に移送される。
【００２９】
前記図４Ａにおいて、第２フランジ４が前記矢印Ａ方向（反時計方向）に回転した時には、第２フランジ４の内側面（図４Ａの手前側の面）の開口４ａ1aから第２旋回流流出孔４ａ1内に流入したエアは、外側面（図４Ａの背面側）の開口４ａ1b側（図５Ａの矢印Ｂ側）に移送されるが、第２旋回流流出孔４ａ2内に流入したエアは、外側面（図４Ａの背面側）の開口４ａ2b側に移送されない。
したがって、図４Ａ、図５Ａにおいて、第２フランジ４が前記矢印Ａ方向（反時計方向）に回転した時には、第２フランジ４の内面側（図４Ａの手前側）から外面側（図４Ａの背面側）に流出するエアの大部分は、第１旋回流流出孔４ａ1を図５Ａの矢印Ｂ側Ａに通過して、感光体ドラムＰＲ外部に図４Ａで時計方向の旋回流となって流出する。
【００３０】
逆に、図４Ａにおいて、第２フランジ４が前記矢印−Ａ方向（時計方向）に回転した時には、第２フランジ４の内側面（図４Ａの手前側の面）の開口４ａ2aから第２旋回流流出孔４ａ2内に流入したエアは、外側面の開口４ａ2b側（図５Ｂの矢印−Ｂ側）に移送されるが、第２旋回流流出孔４ａ1内に流入したエアは、外面側（図４Ａの背面側）の開口４ａ1b側に移送されない。
したがって、図４Ａにおいて、第２フランジ４が前記矢印−Ａ方向（時計方向）に回転した時には、第２フランジ４の内面側（図４Ａの手前側）から外面側（図４Ａで背面側）に流出するエアの大部分は、第２旋回流流出孔４ａ2を図５Ｂの矢印−Ｂ側に通過して、感光体ドラムＰＲ外部に図４Ａで反時計方向の旋回流となって流出する。
【００３１】
（実施の形態１の作用）
前記構成を備えたこの実施の形態１の感光体ドラムＰＲでは、感光体ＰＲが図２Ａ、図４Ａで反時計方向（矢印Ａ方向）に回転した時には、第１フランジ３の第１旋回流形成用流入孔３ａ1から感光体ドラムＰＲ内部に冷却用のエアが時計方向旋回流となって流入する。前記感光体ドラムＰＲ内部の時計方向旋回流となったエアは、第２フランジ４の第１旋回流流出孔４ａ1から時計方向の旋回流となって感光体ドラムＰＲ外部に流出する。
また、感光体ＰＲが図２Ａ、図４Ａで時計方向（矢印−Ａ方向）に回転した時には、第１フランジ３の第２旋回流形成用流入孔３ａ2から感光体ドラムＰＲ内部に冷却用のエアが反時計方向旋回流となって流入する。前記感光体ドラムＰＲ内部の反時計方向旋回流となったエアは、第２フランジ４の第２旋回流流出孔４ａ2から反時計方向の旋回流となって感光体ドラムＰＲ外部に流出する。
したがって、前記第１フランジ３に設けた旋回流形成用流入孔３ａ1，３ａ2および第２フランジ４に設けた旋回流流出孔４ａ1，４ａ2により、感光体ドラムＰＲ内部に旋回流となった冷却用エアを通過させることができるので、感光体ドラムＰＲを、簡単な構成により、効率良く冷却することができる。
【００３２】
この実施の形態１の感光体ドラムＰＲは、時計方向または反時計方向のどちらに回転しても、感光体ドラムＰＲ内部に旋回流を生じさせ且つ、第２フランジ４の外側面に効率的に流出させることができる。
【産業上の利用可能性】
【００３３】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（Ｈ01）感光体ドラム内部に流入するエアを感光体ドラムの軸に平行に通過させるように構成したエア流入孔と通過するエアを旋回流にするように構成した旋回流流出孔とを前記感光体ドラムの端壁部３ａ，４ａに設けることが可能である。
【図面の簡単な説明】
【００３４】
【図１】図１は本発明の実施の形態１の感光体ドラムの縦断面図である。
【図２】図２は実施の形態１の感光体ドラムの軸方向の一方の端部に設けた第１フランジの説明図であり、図２Ａは前記第１フランジの外側面の説明図で前記第１フランジを前記図１のIIＡ−IIＡ線から見た図、図２Ｂは前記第１フランジの内側面を示す図で前記第１フランジを図１のIIＢ−IIＢ線から見た図である。
【図３】図３は前記第１フランジに形成した旋回流形成用流入孔の説明図であり、図３Ａは第１フランジが矢印Ａ方向に回転するときの前記図２ＡのIIIＡ−IIIＡ線断面を示す図、図３Ｂは第１フランジが矢印−Ａ方向に回転するときの前記図２ＡのIIIＢ−IIIＢ線断面を示す図である。
【図４】図４は実施の形態１の感光体ドラムの軸方向の端部に設けた第２フランジの説明図であり、図４Ａは前記第２フランジの内側面の説明図で前記第２フランジを前記図１の矢印IＶＡから見た図、図４Ｂは前記第２フランジの外側面を示す図で前記第２フランジを図１の矢印IＶＢから見た図である。
【図５】図５は前記第２フランジに形成した旋回流流出孔の説明図であり、図５Ａは第２フランジが矢印Ａ方向に回転するときの前記図４ＡのＶＡ−ＶＡ線断面を示す図、図５Ｂは第２フランジが矢印−Ａ方向に回転するときの前記図４ＡのＶＢ−ＶＢ線断面を示す図である。
【符号の説明】
【００３５】
ＰＲ…感光体ドラム、
１…スリーブ、２…感光体層、３…第１フランジ、３ａ…端壁部、３ａ1，３ａ2…旋回流形成用流入孔（流入孔）、３ａ1a，３ａ2ａ…外側面の開口（流入側の開口）、３ａ1b，３ａ2b…内側面の開口（流出側の開口）、３ｂ…円筒部、４…第２フランジ、４ａ…端壁部、４ａ1，４ａ2…旋回流流出孔、４ａ1a，４ａ2a…内側面の開口（流入側の開口）、４ａ1b，４ａ2b…外側面の開口（流出側の開口）、４ｂ…円筒部、
【図１】
2005062391.tif 000003
【図２】
2005062391.tif 000004
【図３】
2005062391.tif 000005
【図４】
2005062391.tif 000006
【図５】
2005062391.tif 000007